(57)【特許請求の範囲】
【請求項１】
カーペットタイル上面及びカーペットタイル下面を有する光透過性多層カーペットタイルであって、
ａ．前記カーペットタイル上面及び一次バッキング層下面を有するタフテッド一次バッキング層と、
ｂ．前記一次バッキング層下面に取り付けられたプリコート層と、
ｃ．前記カーペットタイル下面を含む、前記プリコート層に取り付けられたタイルバッキングと、
を有し、
前記光透過性多層カーペットタイルは、前記タイルバッキングから前記カーペットタイル上面に向かう方向に伝播し、可視レンジの波長を有する光について、０．５−１５％のレンジのカーペットタイル光透過率を有する光透過性カーペットタイルセクションを有する、光透過性多層カーペットタイル。
【請求項２】
前記タイルバッキングが、光源を少なくとも部分的に囲むことができるように構成される凹部を有する、請求項１に記載の光透過性多層カーペットタイル。
【請求項３】
好適には発光ダイオードである光源を更に有する、請求項１又は２に記載の光透過性多層カーペットタイル。
【請求項４】
前記プリコート層は、ラテックス、アクリル及び透過性ポリオレフィン分散体ベースの層を含むグループから選択される材料を含む、請求項１乃至３のいずれか１項に記載の光透過性多層カーペットタイル。
【請求項５】
前記タイルバッキングは、透過性ポリ（塩化ビニル）、ポリ（ビニルブチラール）、シリコンラバー、ポリ（メチルメタクリレート）、ポリプロピレン及びポリエチレンを含むグループから選択される材料を含む、請求項１乃至４のいずれか１項に記載の光透過性多層カーペットタイル。
【請求項６】
前記タイルバッキングがオレフィンを含む、請求項１乃至５のいずれか１項に記載の光透過性多層カーペットタイル。
【請求項７】
前記タイルバッキングがスクリムを更に含む、請求項１乃至６のいずれか１項に記載の光透過性多層カーペットタイル。
【請求項８】
前記光透過性カーペットタイルセクションが、１−１０％のレンジのカーペットタイル光透過率を有する、請求項１乃至７のいずれか１項に記載の光透過性多層カーペットタイル。
【請求項９】
請求項１乃至８のいずれか１項に記載の光透過性多層カーペットタイルの複数を有するカーペット構造体。
【請求項１０】
複数の光源を具える照明システムを有し、
前記複数の光透過性多層カーペットタイルが、前記照明システム上に配されている、請求項９に記載のカーペット構造体。
【請求項１１】
前記光透過性多層カーペットタイルが前記凹部をもたない、請求項２を引用する請求項９又は１０に記載のカーペット構造体。
【請求項１２】
前記光源が、１ｍｍ又はそれ以下の総高さを有し、前記カーペット構造体がパディングを含まない、請求項１０に記載のカーペット構造体。
【請求項１３】
前記照明システムがパディングに含まれている、請求項１０に記載のカーペット構造体。
【請求項１４】
複数の光源を有する照明システムと、
前記照明システム上に配される、請求項１乃至９のいずれか１項に記載の光透過性多層カーペットタイルの複数と、
を有するカーペット構造体の、カーペット光を供給するための使用。
【請求項１５】
前記カーペット光により情報を提供するための、請求項１４に記載の使用。
【発明の詳細な説明】
【技術分野】
【０００１】
本発明は、多層カーペットタイル、及びこのようなカーペットタイルの複数を有するカーペットを敷設したフロアに関する。
【背景技術】
【０００２】
フロア上又はフロア内の照明は、当技術分野において知られている。例えば欧州特許第０３２３６８２号明細書は、建物内の移動の経路に沿って建物の居住者を案内する装置を記述しており、装置は、構造体のフロアをカバーするように構成されるモジュラ形カーペットタイルを有し、タイルの幾つかは、その中の開口に位置する光透過性の成形プラスチックハウジングと、ハウジング内に位置する発光ダイオードと、を有するシグナルユニットである。発光ダイオードが、電気ケーブルを介して活性化され、それによりフロア上に視覚的に識別可能な経路を提供する。
【０００３】
更に、光ファイバを含むテキスタイル（布地）もまた、当技術分野において知られている。例えば米国特許出願公開第２００７００３７４６２号明細書は、機能的な光ファイバを有する分散型光ファイバスクリムを製造する方法、こうして製造される機能的な光ファイバスクリム、及び光ファイバスクリムが組み込まれた複合体、を記述している。この文書は、さまざまなテキスタイルスクリム、特に接着接合された不織スクリム材料、を記述しており、各々は、ファブリックの少なくとも長さ又は幅を横切る連続する経路を有する少なくとも１つの光ファイバを有する。このような光ファイバスクリムは、センサ素子として（例えば、破損、ひずみ、圧力又はトルクの検出器として）、（例えばさまざまな光供給アプリケーションにおける）照明コンポーネントとして、又はデータ分配コンポーネントとして、単独で又は例えばファブリック、フィルム、発泡体等の他の材料との組み合わせにおいて、有用でありうる。
【０００４】
米国特許第４７５４３７２号明細書は、少なくとも１つの光源がテキスタイル材料の背部に接続された、ファイバ面を有するテキスタイル材料の照明可能なカバーを記述している。複数の光透過性ファイバが、光源に接続され、そこから光を発し、それらファイバの自由端部分は、光源が活性化されるとき光をファイバ面に送るために、テキスタイル材料のファイバ面に隣接して終端する。一実施形態において、テキスタイル材料は、例えばカーペット又は敷物のようなフロアカバー材料である。
【発明の概要】
【発明が解決しようとする課題】
【０００５】
例えばカーペット内での電子コンポーネントの使用が、当技術分野において知られている。例えば国際公開第２００７０３３９８０号明細書は、このようなカーペット及びカーペットに電子コンポーネントを装備する方法を記述している。電子コンポーネントが効率的且つ正確に配置されるようにカーペットに適用されることを確実にする方法を確立するために、支持体材料に固定されるように取り付けられる電子コンポーネントが、支持体の助けによりカーペットに接着される。
【０００６】
米国特許第４７９４３７３号明細書は、構造体内のフロアに沿う移動の経路において構造体の占有者を視覚的に案内する装置を記述している。この装置は、フロア上に置かれるカーペットと、カーペットの下に位置付けられる照明ストリップと、を有する。照明ストリップは、細長いリボンを有し、横方向に間隔を隔てられた電気導体のグループが、リボン内に収容され、シート材料のリボンの長手方向に延在する。一連の透光性プラスチックハウジングは、プラスチックシート材料のリボンの共通の外側表面に接続され、プラスチックシート材料のリボンの共通の外側表面に沿って長手方向に配置される。発光手段は、ハウジングの各々の中に位置付けられ、シート材料のリボン内に収容された電気導体のグループの予め決められたものに電気的に接続される。カーペットは、照明ストリップ上の一連の透光性ハウジングに対応して一連の貫通開口を有する。ハウジングは、カーペットの開口内に位置し、従って、ハウジング内に位置する発光手段が活性化されると、視覚的に識別可能な経路が、カーペットの表面に沿って現れる。
【０００７】
従来技術の多くにおける不利益は、例えば光源又はそれらのハウジングがカーペットを貫通することである。これは、美学的理論の理由でユーザによって望まれないことがある。その理由は、「真の広幅織りの」カーペットがなく、一定のカーペット感覚及び視覚がない可能性があるからである。加えて、照明システムがカーペットから独立してクリーニングされる必要がありうるので、システムのクリーニングが一層困難になりうる。従来技術の別の問題は、費用があまりに高く、この費用は、光源に必要なハウジングによって強く増大されることである。更に、それは、システムの複雑さを加えることがあり、これは、従来技術の光源の設置を困難にする。従来技術の別の不利益は、システムが設置されたあと、照明パターンが変更されることができないことである。
【０００８】
照明機能を有するカーペットを提供することの要求があるが、カーペット及び照明をフロア上に配置する際に可撓性があることの要求もある。
【０００９】
後者は、ここでカーペットタイルを使用することによって提供される。加えて、カーペットタイルの利点は、それらが必ずしもフロアに接着される必要がないことであり、これは、（複数の）カーペットタイルの下に設置される照明システムを取り替え又は修理することを可能にする。
【課題を解決するための手段】
【００１０】
それゆえ、本発明の１つの見地は、（ａ）照明システムと、（ｂ）このようなカーペットタイルの複数と、を有し、好適には更に上記の欠点の１又は複数を少なくとも部分的に取り除く、照明機能を与えうる代替のカーペットタイル、光源を有する代替カーペットタイル、及びカーペットを敷設したフロアのような代替のカーペットを敷設した構造体、を提供することである。
【００１１】
第１の見地において、本発明は、カーペットタイル上面（「パイル」）及びカーペットタイル下面を有する光透過性多層カーペットタイル（「カーペットタイル」又は「タイル」とも示される）であって、
ａ．カーペットタイル上面及び一次バッキング層下面を有するタフテッド一次バッキング層と、
ｂ．一次バッキング層下面に取り付けられたプリコート層と、
ｃ．カーペットタイル下面を有する、プリコート層に取り付けられたタイルバッキングと、
を有し、多層カーペットタイルが、タイルバッキングからカーペットタイル上面に向かう方向に伝播し、可視レンジの波長を有する光について好適には０．５−１５％のレンジのカーペットタイル光透過率を有する光透過性カーペットタイルセクションを有する、多層カーペットタイルを提供する。
【００１２】
このようにして、ロバストなカーペットが、最先端技術のカーペット生産プロセスに基づいて提供されることができるが、個々の層及び／又は層材料を選択する際に透過性に特に注意が払われる。多層カーペット構造体は、通常のカーペットよりも一層、カーペットタイルに関する要求を満たすことが好ましい。
【００１３】
プリコート層は、特にタフト結合強度（パイル引き抜き強度、tuft bind strength）及び好適には難燃性の要求を満たす必要があり、タイルバッキングは、例えば単位面積あたりの全質量、端部の総直角度及び真直度、寸法安定性、切断端部のカーリング／ドーミング及び損傷（ほつれ）のような要求を満たすことが必要とされうる。特に高い程度の摩耗を伴うアプリケーション（例えばオフィス、学校、ホテル、図書館、病院、輸送車、家庭内の特定の部屋等）の場合、これは価値がありうる。
【００１４】
更に、光源が取り替えられ、修理され又は除去される必要がありうる場合、（複数の）当該カーペットタイルのみが、（一時的に）取り外される必要がありうるので、タイルの使用は有利でありうる。
【００１５】
示される透過レンジは、一方では、特に最先端技術のＬＥＤ、好適にはソリッドステートＬＥＤを考えて、例えば一般的なオフィス照明条件の下でも光効果が目に見えるようにするために、カーペットタイルを通過する十分な透過性を提供することができ、他方では、カーペットタイルの下の（例えば光源のような）構成要素（又はカーペットタイル下の他の構成要素）が目に見えることを実質的に防ぐことができる。光源（又は電気ワイヤ、反射薄膜、パディング等の他の構成要素）がもはや隠されることができないので、特に、カーペットタイルの下のフロア又は他の構成要素の可視性が、望ましくないことがある。
【００１６】
（複数の）光源としてのソリッドステートＬＥＤは、それらの小さい寸法のため、特に望ましい。最先端技術を有するこのような光源は、厚さ１ｍｍ未満でありえ、（ＰＣＢ（プリント回路基板）のような０．５−１ｍｍの厚さの支持構造体を除いて）約０．２ｍｍのレンジでありえ、又はより薄くてもよい。このような（例えば支持構造体を含む１ｍｍの総厚さを有する）光源をフロアの上に配置する場合、カーペットタイルは、光源（の存在）の、カーペットタイルの（局所的な）表面高さに対する実質的な影響なく、且つカーペットタイルの（局所的な）感触に対する実質的な影響なく、光源の上に配置されることができる。それにもかかわらず、カーペットタイルを生成する際、カーペットタイルの下の光源の存在を考慮することが好ましいことがある。従って、一実施形態において、タイルバッキングは、光源を少なくとも部分的に囲むことが可能であるように構成される凹部を有する。
【００１７】
しかしながら、好適には、代わりに、タイルバッキング材料が、（複数の）光源（及び／又は照明システム、以下参照）の上でそれ自身を形作るように（可塑的に）変形することができるように、選択されることもできる。これは、このアプリケーションにおいて提案される材料の多くに当てはまりうる。
【００１８】
好適には、光源の総高さ及びより好ましくは照明システムの総高さは、少なくとも１ｍｍであり、好適にはそれより小さく、例えば約０．７ｍｍに等しく又はそれより小さい。
【００１９】
それゆえ、光源を適用する際、カーペットタイルは、凹部を有さなくてもよく、カーペットタイルが、光源上に（又は照明システム上にそれぞれ）配置される。代替として、カーペットタイルは、凹部を有することができ、カーペットタイルの凹部が、光源上に配置される。代替として、光源、より具体的には照明システムが、パディングによって含められることができ、カーペットタイルが、パディングの上に配置される。それゆえ、一実施形態において、光源（又は照明システム）は、１ｍｍに等しい又はそれより小さい総高さを有し、好適には０．７ｍｍに等しい又はそれより小さい総高さを有し、例えば約０．３ｍｍの総高さを有し、カーペットを敷設したフロア（又はカーペットを敷設した壁又はカーペットを敷設した天井のようなカーペットを敷設した任意の別の構造体）は、パディングを含まない。他の実施形態において、光透過性多層カーペットタイルは、凹部を含まない。更に他の実施形態において、照明システムは、パディングに含まれる。
【００２０】
光源は、カーペットと別個のものであってもよく、すなわち、カーペットタイルは、一実施形態において、光源を含まない。従って、実施形態及び請求項のいくつかは、カーペットタイル自体に関する。しかしながら、特定の実施形態において、光源が、カーペットに、特にタイルバッキングに、少なくとも部分的に組み込まれることもできる。従って、一実施形態において、カーペットタイルは、少なくとも１つの光源を有することができる。このような光源は、任意には複数の光源を有する照明システムの一部でありうる（以下参照）。従って、本発明は、特定の実施形態において、好適には（ソリッドステート）発光ダイオード（ＬＥＤ）のような光源を有する光透過性多層カーペットタイルを提供する。
【００２１】
「光源」という語は、複数のＬＥＤのような複数の光源をさすこともできる。それゆえ、光源は、複数の光源に関係しうる。特定の実施形態において、「ＬＥＤ」という語は、複数のＬＥＤをさすこともできる。「複数のＬＥＤ」という語は、２又はより多くのＬＥＤをさすことができ、特に２−１００，０００の、例えば２−１０，０００、４−３００、１６−２５６のＬＥＤをさすことができる。それゆえ、カーペットタイル又は照明システムは、複数のＬＥＤを含みうる。一般に、カーペットタイル又は特に照明システムは、２−１０，０００ＬＥＤ／ｍ２を有することができ、特に２５−２，５００ＬＥＤ／ｍ２を有することができる。複数のＬＥＤは、複数のカーペットタイルにわたって分布されることができることに注意されたい。例えば、オフィス内の１０メートルの通路は、１０の照明システムを備える１０の発光カーペットタイルを有することができ、各々の照明システムは、矢印を描く約８０のモノカラーＬＥＤを有する。従って、「照明システム」という語もまた、複数の照明システムをさすことができる。更に、本発明は、複数の光源を有する照明システム上に配置された複数のカーペットタイルを有するカーペットを敷設したフロア（又はカーペットを敷設した別の構造体）において、各カーペットタイルが、１又は複数の光源上に配置されることを除外しない。
【００２２】
光源は、例えば小さい白熱電球、又はファイバ先端若しくはファイバむら（fiber irregularity）（光をファイバから出させるように構成されるもの。この実施形態は、それが相対的に安価であるという利点をもつ）のような任意の光源を含むことができるが、特に、（光源として）ＬＥＤ（発光ダイオード）を含むことができる。ＬＥＤを使用する特定の利点は、それらが相対的に小さく、カーペットタイル（の凹部）内に又はその下により良くおさまりうることである。上述したように、照明システムの１ｍｍ以下の総厚さが好ましく、これは、ＬＥＤによってのみ達成されることができる。ＬＥＤという語は、ＯＬＥＤをさすことができるが、特にソリッドステート照明をさす。特に明記しない限り、ＬＥＤという語は更に、ソリッドステートＬＥＤをさす。特に、光源は、複数の光源を含む照明システムの一部である。このような照明システムは、パディングに組み込まれることができる。
【００２３】
「青色光」又は「青色発光」という語は、特に、約４１０−４９０ｎｍのレンジの波長をもつ光に関する。「緑色光」という語は、特に約５００−５７０ｎｍのレンジの波長をもつ光に関する。「赤色光」という語は、特に約５９０−６５０ｎｍのレンジの波長をもつ光に関する。「黄色光」という語は、特に約５６０−５９０ｎｍのレンジの波長をもつ光に関する。ここで「光」という語は、特に可視光、すなわち約３８０−７８０ｎｍのレンジから選択される波長をもつ光、に関する。カーペットから、すなわちカーペットタイル上面から、カーペット上の空間に放出する光は、ここでは「カーペット光」とも示される。
【００２４】
好適な実施形態において、一次バッキング層が、光反射材料を含むタフト（tufts）を有する。例えば、一次バッキングは、明るい茶色の糸（yarns）がタフト化されている不織材料であり、タフテッド一次バッキングは、例えば、適用されるプリコート層なしに、１−２％の光透過率を有する。（反射性）タフトの使用は更に、光がカーペットから出力結合することを可能にし、及び／又は光分布を改善し及び／又は光吸収を低減することができる。反射率は、例えば１０−４０％のレンジでありうる。
【００２５】
複数の層の個々の層の材料の選択もまた、カーペットタイルを通る光源光の透過のために重要でありうる。一例において、一次バッキング層は、ポリプロピレン（ＰＰ）、ナイロン及びジュートを含むグループから選択される材料を含み、特にＰＰを含む。更に、好適には、プリコート層は、光透過性ラテックス、光透過性アクリル及び光透過性ポリオレフィン分散体ベースの材料（例えばDOWからのHypodTM）を含むグループから選択される材料を含む。プリコート層を光透過性にするために、プリコート層には、実質的に光散乱又は光吸収粒子がないことが好ましい。これが（例えばこれらの粒子の難燃特性により）可能でない場合、フィラーの量は、可能な限り低減されるべきであることが好ましい。代替として、フィラーは、好適には、光を散乱させない又はＣａＣＯ３のような最先端技術のフィラーより少なく光を散乱させる別のフィラーと置き換えられるべきである。これは、例えば接着材料と比較して同様の光学屈折率を有するフィラーを選択することによって、達成されることができる。例えば、我々は、Ａｌ（ＯＨ）３が、ラテックスとの組み合わせにおいて相対的に低い散乱を示すことを見出した。我々は更に、高い純度（例えば≧９９％）をもつフィラーの使用が、光透過率を改善することを見出した（例えば、カーペットに一般に使用されるＣａＣＯ３フィラーは、ＣａＣＯ３の不純物のため、色が褐色がかっていることが知られている）。
【００２６】
今日生産されている大多数のカーペットタイルは、タイルバッキングとしてビチューメン又は不透明ポリ（塩化ビニル）層を使用している。これらのタイルバッキングは、光透過性をもたず、従って、別の材料が使用されるべきである。従って、他の実施形態において、タイルバッキングは、透過性ポリ（塩化ビニル）（ＰＶＣ）又はポリ（ビニルブチラール）（ＰＶＢ）、シリコンラバー、又はポリ（メチルメタクリレート）（ＰＭＭＡ）を含むグループから選択される材料を含むが、代替として、ポリプロピレン（ＰＰ）又はポリエチレン（ＰＥ）に基づくバッキングが、使用されることもできる。すべてのこれらの材料は、幾らかの可撓性及び光透過性を有する二次バッキングとして使用されることができる。従って、これらの光透過性材料ＰＶＣ、ＰＶＢ、シリコンラバー、ＰＭＭＡ等の任意のものが、適用されることができる。
【００２７】
更に、タイルバッキングには、好適には、実質的に光散乱又は光吸収フィラーが含まれない。しかしながら、カーペットタイルの標準を満たすために、フィラーを使用することが必要でありうる。更にこれらの場合、光透過性は、同程度の屈折率を有するフィラーを使用して及び改善された純度を有するフィラーを使用して、改善されることができる。しかしながら、タイルバッキングは強い難燃特性を有さないので、適切なフィラーの数は、タイルバッキングの場合一層大きい。従って、ガラス、Ａｌ２Ｏ３、ＴｉＯ２等の透過性材料が、フィラー材料として使用されることができる（例えば、過多な散乱を防ぐために屈折率に注意してフィラー材料を選択する）。
【００２８】
カーペットタイルの特定の実施形態において、一次バッキング層は、ポリプロピレン（又はナイロン又はジュート）を含み、プリコート層は、光透過性ラテックス、光透過性アクリル及び光透過性ポリオレフィン分散体ベースの材料を含むグループから選択される材料を有し、タイルバッキングは、透過性ポリ（塩化ビニル）（ＰＶＣ）、ポリ（ビニルブチラール）（ＰＶＢ）、シリコンラバー、ポリ（メチルメタクリレート）（ＰＭＭＡ）、ポリプロピレン（ＰＰ）及びポリエチレン（ＰＥ）を含むグループから選択される材料を含む。このようにして、１又は複数の光透過性カーペットタイルセクションを有するカーペットタイルが、提供されることができる。従って、本発明は、ここに規定される多層構造を有するカーペットタイルであって、タイルバッキングからカーペットタイル上面に向かう方向に伝播し、可視レンジの波長を有する光について、好適には０．５−１５％、特に１−１０％、のレンジのカーペットタイル光透過率を有する、カーペットタイルを提供する。こうして、「セクション」という語は、複数のセクションをさすこともある。
【００２９】
特に明記しない限り、適用可能であり及び技術的に実現可能である場合、複数の構成要素を「含むグループから選択される」という語句は、列挙される構成要素の２又はそれ以上の組み合わせをさすこともある。
【００３０】
粒子のフィラー材料が、プリコート層及び／又はタイルバッキングにおいて使用される場合、フィラー材料及びプリコート層又はタイルバッキングの屈折率の比率は、好適には、それぞれ約０．９５−１．０５のレンジにある。
【００３１】
好適には、一次バッキング層は、光透過性一次バッキング層である。接着層又はプリコート層は、好適には光透過性プリコート層である。タイルバッキングは、好適には光透過性タイルバッキング（層）である。このようにして、光透過性であるカーペットタイルが提供されることができる。
【００３２】
タイルバッキングは、例えば当技術分野において知られている「二次バッキング」でありうる。タイルバッキングは接着層でありうる。
【００３３】
「接着層」という語は、別の層に接着する（取り付けられる）層をさし、ここでは特にプリコート層をさすことに注意されたい。製造の間、タイルは、当技術分野において知られているように、硬化及び／又は加熱及び／又は乾燥のようなプロセスを受け、これは、例えば一次バッキングに対するプリコート層の接着及びプリコート層に対するタイルバッキングの接着を除いて、強度を提供することができるとともに実質的に接着特性を有しない層の形成をもたらす。
【００３４】
タイルバッキングは、スクリムを含むこともできる。スクリムは、例えばジュートのようなガーゼ（又はメッシュ）材料であるが、ＰＰ又はナイロン又はファイバガラスで作られることもできる。それゆえ、スクリムは、好適には、ガーゼ構造（又はメッシュ構造）をもつテキスタイルを含む。スクリムは、カーペットタイルに更なる強度を提供することができる。メッシュ（又はガーゼ）構造の利点は、光源からの光が、メッシュ（又はガーゼ）を通って相対的に容易に伝播されることができることである。別の利点は、メッシュによる強度の改善が、タイルバッキングにおけるフィラー材料の更なる低減を可能にすることができることである。
【００３５】
材料のタイプ、材料の特定の組成、材料の（層）厚さ及びタフトの密度、高さ及び色は、所望のカーペットタイル光透過率を有するタイルを提供するように選ばれることができる。好適には、光透過性カーペットタイルセクションは、１−１０％のレンジのカーペットタイル光透過性を有する。しかしながら、光透過率は、約０．５−５％のレンジ、例えば１−５％のレンジ、のようにより低くてもよい。好適には、透過率は、カーペットタイルのカーペット上面を見るビューワによって、例えばフロア（又は（スイッチオフの状態の）光源又は照明システムのような他の構成要素）のような対象が目に見えてしまうことを防ぐように、選択される。
【００３６】
他の実施形態において、本発明は更に、ここに記述される複数の光透過性多層カーペットタイルを有する、カーペットを敷設した構造体、特にカーペットを敷設したフロア、に関する。
【００３７】
このようなカーペットを敷設したフロアは、ガラスフロアのような透明なフロア上に配置されることができる。このようにして、光は、カーペットタイルの下から、カーペットを敷設したフロアが配置されている空間まで、供給されることができる。
【００３８】
ここで、本発明は、カーペットを敷設した構造体の例として、カーペットを敷設したフロアに関して更に説明される。しかしながら、カーペットを敷設した構造体は、天井カーペット又は壁カーペットとしても適用されることができる。ここで「カーペットを敷設したフロア」という語は、カーペットで少なくとも部分的におおわれたフロアに関係し、カーペットは、複数のカーペットタイルを有する。従って、「カーペットを敷設したフロア」という語は、カーペットタイルで少なくとも部分的におおわれたフロアをさす。「おおわれた（covered）」という語は、フロアと（複数の）カーペットタイルとの間の光源、照明システム又はパディングの存在を除外しない。
【００３９】
特に、（ａ）（フロア上に配置される）複数の光源を有する照明システムと、（ｂ）照明システム上に配置される複数の光透過性多層カーペットタイルと、を有するカーペットを敷設したフロアが提供される。こうして、このようなカーペットを敷設したフロアは、（照明システムの１又は複数の光源がオンにされるときに）カーペット光、すなわちカーペットタイルから発する光、を供給するために使用されることができる。
【００４０】
特に、カーペットを敷設したフロアは、一実施形態において、カーペット光によって情報を提供するために使用され、すなわち、特にフロア上に照明パターンを生成するために使用される。
【００４１】
カーペットを敷設したフロアは更に、照明システムを制御するように構成されるコントローラ、及び特に照明システムの個別の光源を有することができる。コントローラは、カーペットを敷設したフロアの外部に配置されることができるが、カーペットを敷設したフロアに組み込まれることもできる。このようにして、特定の方向を示す矢印、コマーシャル情報のような情報が提供されることもできる。カーペット光の色、オン／オフ状態、強度、パターン形状及び情報内容の１又は複数は可変でありえ、コントローラによって制御されることができる。更に、カーペット光の色、オン／オフ状態、強度、パターン形状及び情報内容の１又は複数が、センサ（例えばタッチ又は接近センサ）のセンサ信号に依存しうる。センサは、カーペットを敷設したフロア上又はその近傍の対象を検知するように構成され、コントローラは、センサ信号に依存して、カーペット光の色、オン／オフ状態、強度、パターン形状及び情報内容の１又は複数を制御するように構成される。従って、更に別の実施形態において、カーペットを敷設したフロアは、例えばタッチ又は接近センサのようなセンサを有する。センサは、カーペットを敷設したフロアの外部に配置されることができるが、カーペットを敷設したフロアに組み込まれることもできる。
【００４２】
更に別の実施形態において、本発明は、センサ及びコントローラと組み合わられた、カーペットを敷設したフロアを提供する。この場合、センサは、センサが接近され又は触れられると、センサ信号を提供するように構成され、コントローラは、カーペット光の照明パラメータ（例えば色、色分布、光強度、光強度分布、明滅周波数等の１又は複数）、カーペット光のパターン形状及びカーペット光によって提供される情報内容を含むグループから選択される１又は複数のパラメータを制御するように構成される。パターン又は情報は、概して、複数の光源によって提供される。
【００４３】
更に別の見地によれば、本発明は、カーペットを敷設したフロアを提供する方法であって、任意にはパディングに組み込まれる照明システムをフロア上に配置するステップと、照明システム上に複数のカーペットタイルを配置するステップと、を含む方法を提供する。
【００４４】
例示もまた、壁又は屋根カバーとして使用されるタフテッドカーペットタイルである。ここで「タフテッドカーペットタイル」は、「カーペットタイル」とも示される。
【００４５】
「下に」、「上に」、「上」及び「下」のような語は、カーペット又はカーペットタイルが、実質的に水平な表面上にカーペットタイル下面がくるように、このような表面上に実質的に平らに配置される際又は実質的に水平な表面に実質的に平行な表面上に配置される際に得られるアイテムの位置又は配置に関する。しかしながら、これは、例えば壁に対向するように、又は他の（垂直な）配置のような、他の配置におけるカーペットタイルの使用を除外しない。
【００４６】
本発明の実施形態は、添付の概略的な図面を参照して例示によってここに記述される。図面において、対応する参照符号は、対応する部分を示す。
【図面の簡単な説明】
【００４７】
【図１ａ】本発明によるカーペットタイルの実施形態及びその変形例を概略的に示す図。
【図１ｂ】本発明によるカーペットタイルの実施形態及びその変形例を概略的に示す図。
【図１ｃ】本発明によるカーペットタイルの実施形態及びその変形例を概略的に示す図。
【図２ａ】光源又は複数の光源と組み合わされる本発明によるカーペットタイルの実施形態及び変形例を概略的に示す図。
【図２ｂ】光源又は複数の光源と組み合わされる本発明によるカーペットタイルの実施形態及び変形例を概略的に示す図。
【図２ｃ】光源又は複数の光源と組み合わされる本発明によるカーペットタイルの実施形態及び変形例を概略的に示す図。
【発明を実施するための形態】
【００４８】
図１ａは、カーペットタイル上面１０１及びカーペットタイル下面１０２を有する光透過性多層カーペットタイル１００の一実施形態を概略的に示す。多層カーペットタイルは、カーペットタイル上面１０１及び一次バッキング層下面１１２を含むタフテッド（タフト化された）一次バッキング層１１０を有する。カーペットタイル上面は、参照１２によって示されるタフトによって形成されるカーペットの表面又は上部である。タフト１２は、糸１１で作られる。一次バッキング１１０の上面は、参照１１１によって示されている。糸１２は、一次バッキング層１１０のこの上面１１１を通って突き出る。糸１１は、人々がその上を歩く等することができるパイル表面（すなわちカーペットタイル上面１０１）から突き出るタフト１２を形成するために、一次バッキング層１１０を通り抜ける。
【００４９】
糸１１は、通常結び付けられておらず、（接着層又はプリコート層からの）接着剤により接着される。一次バッキングの裏側に存在しうる接着層は、タフトを一次バッキング層に接着し、適当な位置にタフト１２を保持する。（従って）カーペットタイル１００は、一次バッキング層下面１１２に取り付けられるプリコート層１２０を更に有する。プリコート層１２０は、一次バッキング層下面１１２にコーティングされる。このようにして、一次バッキング層下面１１２と、こうして形成されるプリコート層１２０の参照１２１によって示される上面とは、隣接し、又はからみ合わせられる（互いに結び付けられる）。
【００５０】
カーペットタイル１００は、プリコート層１２０に取り付けられるタイルバッキング１３０を更に有する。タイルバッキング１３０は、タイルバッキング上面１３１及びタイルバッキング下面１３２を有する。タイルバッキング１３０は、プリコート層下面１２２に供給される接着剤を実質的に含むので、タイルバッキング上面１３１は、プリコート層下面１２２と隣接する。タイルバッキング１３０は、カーペットタイル下面１０２を有する。この実施形態において、タイルバッキング下面１３２は、カーペットタイル下面１０２である。
【００５１】
カーペットタイル１００は、総高さｈを有する。カーペットタイル１００の（複数の）端部は、参照１０３によって示されている。
【００５２】
図１ｂは、図１ａと実質的に同じであるが、例示としてカットループタフト１２が、概略的に示されている。他方、図１ａではループタフト１２が示されている。
【００５３】
図１ｃは、タイルバッキング１３０が例えばジュートマットのようなスクリム１３５を更に含む実施形態を概略的に示している。概して、スクリムは、タイルバッキング１３０の接着材料に埋め込まれている。
【００５４】
カーペットタイル１００は、
−（パイルを形成するために）光透過性一次バッキングを通して繊維をタフト化するステップと、
−一次バッキング１１０の一次バッキング層下面１１２に（ゆえにパイルと反対側に）、光透過性プリコート接着性コーティングを適用して、向かい合う繊維を一次バッキング１１０に固定することにより、プリコート層１２０を提供するステップと、
−プリコート層１２０の裏側に、すなわちプリコート層下面１２２に、光透過性バッキング接着剤及び任意にはスクリム１３５を適用することにより、タイルバッキング１３０を提供するステップと、
−カーペットをカーペットタイルに切断するステップと、
を含む方法によって生成されることができる。
【００５５】
タフテッドカーペットは、一般に、一次バッキング層を有し、タフトは、一般にナイロン、ウール又はポリプロピレン糸を使用して、その層に作られる。続いて、ラテックスのような接着剤のコーティングが、適当な位置にタフトを動かなくするために、カーペットの下部に拡散される。これは、プリコート（ラテックス）層と呼ばれる。プリコート層１２０は、タフトに強度（いわゆるタフト結合強度）を提供する。更に、プリコート層１２０は、接着層（以下参照）からの接着剤がタフト（の間の開き）を通ってカーペットタイル上面１０１の方向に浸透することを実質的に防ぐために使用される。
【００５６】
プリコート層には、好適には、例えば炭酸カルシウムのような光散乱又は光吸収性のフィラー材料が（可能な限り）入っていない。しかしながら、フィラーは、必要な難燃特性を得るために必要とされうる。これらの目的のために、フィラーが、添加されることができ、好適には、これらのフィラーは、少ない量が選択され、それらは、接着材料にできるだけ近い屈折率をもつように選択される。難燃材料の例として、プリコート層１２０は、（接着剤に加えて、）アルミニウム三水和物（Ａｌ（ＯＨ３）（ＡＴＨ））、酸化マグネシウム（ＭｇＯ（ＭＤＨ））及びホウ酸亜鉛（Ｚｎ（ＢＯ３）２（ＺＢ））、三酸化アンチモン（Ｓｂ２Ｏ３（ＡＯ））を含むグループから選択される１又は複数の材料を含みうる。実験において、我々は、特に、光学屈折率の許容できる整合により、アルミニウム三水和物がラテックスと組み合わせて使用されるときに、このアルミニウム三水和物が良好な光透過率を有することを見出した。
【００５７】
プリコート層が乾燥した後、（例えばＰＶＣバッキングを適用するための）当技術分野において知られている方法を使用して、上述した材料のようなタイルバッキング接着剤のような付加の層が、（いわゆるタイルバッキング又はタイルバッキング層を提供するために）適用される。任意には、（ガーゼ構造を有する）スクリム１３５が適用されることができる。一般に、スクリム１３５は、スクリム１３５がタイルバッキング接着剤に沈み込むように、硬化されていないタイルバッキング層に適用される。スクリム１３５の目的は、カーペット構造に追加の強度を与えることである。タイルバッキング接着剤が続いて硬化される（方法は、使用されるタイルバッキング材料のタイプに依存する）。その後、カーペットは、カーペットタイル１００に切断されることができる。このようにして、多層カーペットタイル１００が提供される。
【００５８】
タイルバッキング１３０は、こうして、タイルバッキング接着層１２０及びスクリム１３５の上述した組み合わせでありうるが、タイルバッキング接着剤自体であってもよい。このようなスクリム１３５は、概して、タイルバッキング１３０を提供するために、接着層を硬化し／乾燥する前に接着層に埋め込まれる。
【００５９】
カーペットとカーペットタイル１００との間の違いは、カーペットタイル１００のほうがより固く又は剛性であることである。これは重要であり、そうでければ、カーペットタイルが設置されるとき、その所定の位置にとどまらないからである。一般的なタイル要求は、単位面積あたりの全質量（例えば、留めずに横たえられるタイルの場合、＞３．５ｋｇ／ｍ２）、寸法（例えば、公称寸法の±０．３％、同じバッチの±０．２％）、端部の直角度及び真直度（例えば両方の方向において±０．１５％）、寸法安定性（例えば、両方の方向の収縮及び伸張が±０．２％）、カーリング／ドーミング（例えば、サンプルの任意の部分のその平面からの最大偏りが≦２ｍｍ）、及び例えば切断端部における損傷（ほつれ）がないこと、である。更に、カーペットタイル１００の寸法はカーペットとは異なる。概して、カーペットタイル１００は、１ｍ２又はそれ以下の面積を有するが、一般に、面積は０．５ｍｘ０．５ｍ＝０．２５ｍ２である。カーペットタイル１００は更に、NEN-EN 1307（ICS 59.080.60、２００８年６月）の特にAnnex Aを満たすように規定されることができる。更に、一般的なタフト結合強度テストは、ASTM D1335である。UM44dからの標準は、平均して、ループパイルの場合は６．２５ポンドであり、切断パイルの場合は３．０ポンドである。
【００６０】
カーペットタイル１００に関して、糸のパッキング密度、糸の色及び長さ、タイルバッキング１３０のタイプ、及び例えば一次バッキング層１１０とタイルバッキング１３０との間の接着層１２０のタイプは、カーペットタイル１００の下に配置される光源２００の光の透過を可能にするカーペットタイル１００を提供するように、選択されることができる。
【００６１】
カーペットタイル１００は、特に、少なくとも部分的に透過性であるように構成される。ここで、「少なくとも部分的に透過性である」という語は、カーペットタイル１００の少なくとも１又は複数の部分が、透過性であり（すなわち特にカーペットタイル１００の下面（下記参照）のようなカーペットタイル１００の片側からの光が、カーペットタイル１００を通り抜け、カーペットタイル１００の上面のようなカーペットタイル１００（以下参照）の反対側に達することができる）ことを示す。このような部分は、「透過性カーペットタイルセクション」としてここに示され、例えば図２ａを参照されたい。「セクション」という語は、透過率がカーペットタイル１００にわたって異なりうることを示すために使用される。しかしながら、一次バッキング層１１０、プリコート層１２０及びタイルバッキング１３０に実質的な不均質性がない場合、タイル１００全体が、ここに示される透過率を有することができる。
【００６２】
従って、本発明は特に、カーペットタイル上面１０１及びカーペットタイル下面１０２を有する光透過性多層カーペットタイル１００であって、多層カーペットタイルが、（ａ）カーペットタイル上面１０１及び一次バッキング層下面１１２を含むタフテッド一次バッキング層１１０と、（ｂ）一次バッキング層下面１１２に取り付けられたプリコート層１２０と、（ｃ）プリコート層１２０に取り付けられたタイルバッキング１３０と、を有し、タイルバッキングは、カーペットタイル下面１０２を有し、多層カーペットタイル１００は、タイルバッキング１３０からカーペットタイル上面１０１に向かう方向に伝播し、可視レンジの波長を有する光２０１について、０．５−１５％、例えば１−１０％、のレンジのカーペットタイル光透過率を有する、多層カーペットタイルを提供する。
【００６３】
図２ａは、図１ａ−図１ｃに示されるようなカーペットタイル１００の一実施形態を概略的に示しているが、光透過特性に対する特定の言及を含む。カーペットタイル１００は、参照１０４によって示される少なくとも１つの透過性カーペットセクションを有する。光源２００は、カーペットタイル１００の下に配置される。光源２００は、光２０１を供給するように構成され、光の少なくとも一部は、カーペットタイル１００を通り抜けることができる。カーペットタイル１００より下流の光２０１が（更に）、参照２７０によって示されており、これは、「カーペット光」という。
【００６４】
従って、多層カーペットタイル１００は、タイルバッキング１３０からカーペットタイル上面１０１に向かう方向に伝播し、可視レンジの波長を有する光２０１について、好適には０．５−１５％のレンジのカーペットタイル光透過率を有する光透過性カーペットタイルセクション１０４を含む。
【００６５】
「光透過性カーペットタイルセクション」及び「カーペットタイル光透過性」という語は、特に、光が、タイルバッキング１３０からカーペット上面１０１まで複数の層を通って透過されることを示すために使用される。「可視レンジの波長を有する」という語句は、少なくとも１つの波長が可視波長レンジ内にあり、カーペットタイル１００の透過性カーペットセクション１０４が、この波長について透過性であることを示す。しかしながら、透過性カーペットセクション１０４は、一般に、複数の波長について、例えば或る波長帯域について、透過性である。
【００６６】
透過性又は光透過性は、材料に対して第１の強度を有する特定の波長の光を供給し、材料を透過した後に測定される当該波長の光の強度を、特定の波長で材料に供給される第１の強度の光に関連づけることによって、決定されることができる  （E-208 and E-406 of the CRC Handbook of Chemistry and Physics, 69th edition, 1088-1989を参照）。「光について透過性である」又は「光透過性である」という語は、光の少なくとも約０．５％がカーペットを通って透過され、より好ましくは光の少なくとも約１％が透過されることを示しうる。好適には、透過は、約１５％より高くなく、例えば最大約１０％である。
【００６７】
タイルバッキング１３０を通り、凹部が存在する場合（以下参照）タイルバッキング１３０の少なくとも一部を通り、プリコート層１２０を通り、タフテッド一次バッキング層１１０を通って進む光の透過率が、測定される。カーペットタイル上面１０１の下流の光の強度は、タイルバッキング１３０の上流の光の強度に関連する。透過率を決定するためにタイルバッキング１３０上に放たれる光は、好適には垂直入射によりタイルバッキング１３０（又はその中の凹部）上に向けられ、カーペットの反対側の全体の積分発光が測定される。
【００６８】
本発明の他の実施形態によれば、接着層（又はプリコート層）１２０がラテックスを含む。ラテックスは、特に光透過性ラテックスである。接着層が実質的にラテックスからなりうることに注意されたい。ラテックスは、スチレン、ブタジエン及び酸性ビニルモノマのターポリマーに基づくものでありうる。接着層（又はプリコート層）１２０が実質的に光透過性ラテックスを含み、光散乱又は吸収粒子を実質的に含まない場合、（複数の）光源から光は、接着層を通って効率的に進むことができる。従って、好適には、光散乱又は吸収性のフィラーは、接着層（又はプリコート層）１２０において使用されず、接着層（又はプリコート層）１２０は、光透過性である。従って、一実施形態において、接着層（又はプリコート層）には、光散乱又は吸収性粒子がない。「…がない」及び同様の語句又は語は、或るものが「…実質的にない」ことを示す。プリコート層１２０が、フィラーを含まないことができない場合（例えばこれらの粒子の難燃特性のため）、フィラーの量は、好適には、可能な限り低減されるべきである。代替として、フィラーは、光を実質的に散乱させない別のフィラーと置き換えられることができる。これは、接着材料と比較して同様の光学屈折率を有するフィラーを選択することによって、達成されることができる。
【００６９】
本発明の他の実施形態によれば、接着層（又はプリコート層）１２０はアクリルを含む。アクリルは、光透過性アクリルでありうる。接着層（又はプリコート層）１２０が実質的にアクリルからなりうることに注意されたい。アクリルの例は、ポリアクリラートエステルである。アクリルの利点は硬さである。アクリルは更に、熱に対して高度な耐性をもち、これは、接着層を、相対的に大きい量の熱を生成するＬＥＤと組み合わせられて用いられるのに特に適した材料にする。ラテックス及びアクリルは、組み合わせにおいて使用されることもできる。
【００７０】
好適な実施形態において、ポリオレフィン分散体が、プリコート層１２０として使用される。適切なポリオレフィン分散体は、例えばDow ChemicalのHYPODTMでありうる。これらは、高固体水性分散体のアプリケーションの利点をもつ、高分子量の熱可塑性物質及びエラストマの性能を組み合わせたプロピレン及びエチレンベースの分散体である。ポリオレフィン分散体は、カーペット製造業者に、彼らが通常のコーティング機器を使用して熱可塑性バッキングを適用することを可能にすることによって、利点を提供することができる。例は、例えばＰＶＢ（ポリビニルブチラール）又はポリプロピレンである。別の適切なポリオレフィン分散体は、ＰＶＢベースの分散体でありうる。従って、実施形態において、接着層（又はプリコート層）は、好適にはアクリル接着剤及びポリオレフィン分散体接着剤の１又は複数を含む。
【００７１】
タイルバッキング１３０は更に、プリコート層１２０にコーティングされる接着剤を含む。この接着層は、上述のスクリム１３５を任意に含むことができる。好適には、タイルバッキング１３０のために使用される接着層は、透過性ＰＶＣ（ポリ塩化ビニル）、ＰＶＢ（ポリビニルブチラール）、シリコンラバー、ＰＭＭＡ、ＰＥ及びＰＰを含むグループから選択される材料を含む。更に好適には、タイルバッキング１３０は、透過性ＰＶＣ層、ＰＶＢ層、シリコンラバー層、ＰＭＭＡ層、ＰＥ層及びＰＰ層のグループから選択される。最近、持続可能（sustainable）なカーペットバッキングの増大する要求のため、カーペットタイル用の新しいタイプのバッキングに対する関心が高まっている。これは、バッキングが、リサイクルするのが容易であるべきであり、環境を害するべきでないことを意味する。例えばＰＥを使用して（一例はShawによるEcoWorx）、ポリオレフィンバッキングシステムを作ることが可能であることが分かった。ポリオレフィンバッキングは、本発明に非常に適切でありうる。ポリオレフィンバッキングとの組み合わせにおいて、本発明は、ＬＥＤがカーペットタイルに埋め込まれるシステムをこえる付加の利点を提供する。この理由は、照明システムが、カーペットタイルから容易に分離されることができ、リサイクルすることをより容易にするからである。
【００７２】
カーペットタイル１００の特定の実施形態において、一次バッキング層１１０は、ポリプロピレン、ナイロン及びジュートを含むグループから選択される材料、特にＰＰ、を含み、プリコート層１２０は、ラテックス層、アクリル層及び透過性ポリオレフィン分散体ベースの層を含むグループから選択される材料を含み、タイルバッキング１３０は、透過性ＰＶＣ（ポリ塩化ビニル）、ＰＶＢ（ポリビニルブチラール）、シリコンラバー、ＰＭＭＡ、ＰＥ及びＰＰを含むグループから選択される材料を含む。
【００７３】
図２ｂは、フロア１上に配置される複数のカーペットタイル１００を概略的に示す。この実施形態において、カーペットタイル１００のほとんどは、（例示として）カーペット下面１０２に凹部１４０を有し、凹部１４０は、本実施形態において（及び概して）、タイルバッキング１３０における空洞である。好適には、これらの空洞又は凹部１４０は、任意のスクリム１３５より向こうのカーペットタイル１００にまでは延在せず、好適には、カーペットタイル１００の寸法安定性を維持するために、タイルバッキング層１３０の厚さの少なくとも５０％を超えない。より好適には、図示されるように、凹部１４０は、タイルバッキング１３０内の凹部である。それゆえ、（複数の）光源２００の光２０１は、タイルバッキング１３０の少なくとも一部を通って進む。スクリム１３５が、タイルバッキング１３０によって含められる場合、好適には、（複数の）凹部１４０が、スクリム１３５の上流にあり、すなわち、光源２００の光２０１は、カーペットタイル上面１０１の方向にスクリム１３５を通って進まなければならない。例示として、左のカーペットタイル１００は、凹部１４０を有さない。しかしながら、特に、カーペットタイル１００の下の光源２００のような構成要素が、約１ｍｍに等しく又はそれより小さい総高さ、例えば０．５ｍｍに等しく又はそれより小さい総高さを有する場合、タイルバッキング１３０は、光源２００の存在を収容するために、（可塑的に）歪み、その形状を適応させることが可能である（同様に、それは、照明システムの存在を収容することができる；以下参照）。
【００７４】
図２ｂに概略的に示される実施形態において、光源２００は、カーペットタイル１００に組み込まれる（すなわち取り付けられる）ことができるが、変形例においては、カーペットタイル１００とは別個のものであってもよい。前者の実施形態においては、（複数の）光源２００（の１つ）が故障すると、カーペットタイル１００全体を取り替える必要がありえ、後者の実施形態においては、カーペットタイル１００が取り除かれ、（複数の）光源２００が取り替えられ、カーペットタイル１００が、実質的にその元の位置に置かれることができる。従って、本発明は更に、カーペットタイル１００の下の光源２００を取り替える方法であって、
−光源２００（又は照明システム、照明システムに関する下記参照）の上部に位置付けられた光透過性カーペットタイル１００を取り除くステップと、
−カーペットタイル１００の下に位置する光源１００（又は照明システム）を取り替え又は修理するステップと、
−光源２００（又は照明システム）の上に光透過性カーペットタイル１００を（再び）設置するステップと、
を含む方法を提供する。
【００７５】
図２ｃは、複数のカーペットタイル１００を含む、例えば部屋、ショッピングエリア又はオフィスエリア等の空間２を概略的に示している。このようにして、カーペットを敷設した構造体３００、ここではカーペットを敷設したフロア、が提供される。配置された複数の光タイル１００の下に、複数の光源２００が配置されている。この複数の光源２００は、照明システムの一実施形態である。照明システムは、参照２５０によって示されている。好適には、光源２００及び／又は照明システム２５０は、それがタイルの直下に配置されることができるように、最大１ｍｍの総高さを有する。この場合、照明システムの位置に目に見える高さの違いはない。カーペットを敷設した構造体３００が、更に説明され、カーペットを敷設したフロア３００として記述される。
【００７６】
他の実施形態において、照明システム２５０は、より大きい高さを有することができる。このような照明システム２５０は、例えばパディングに組み込まれることができる。それゆえ、このような実施形態（図２ｂに示されない）において、カーペットを敷設したフロア３００は、複数の光透過性多層カーペットタイル１００及び（（フロア１上に配置される）複数の光源２００を有する）照明システム２５０を備え、照明システム２５０は、任意にはパディングに組み込まれる。複数の光透過性多層カーペットタイル１００が、照明システム２５０上に配置される。
【００７７】
カーペットを敷設したフロア３００は、空間２において装飾模様を表わすために使用されることができるが、例えば矢印、コマーシャル情報等の情報を含む光パターンを提供することにより情報を提供するために使用されることもできる。
【００７８】
カーペットタイル１００上で立っている又は歩いている人は、上からタイル１００を通してフロア１又は（オフ状態にあるときの）照明システム２５０を見ることが可能でないことが好ましい。これは、特に、約１５％以下の、好適には約１０％以下の、例えば５％又はそれ以下の、相対的に低い透過率によって達成されることができる。
【００７９】
他の実施形態において、カーペットタイル１００は、緊急時に活性化されることができる緊急避難経路の照明システムを作るために使用される。この実施形態は、フロア１上に位置する照明システム２５０を有する。照明システム２５０は、複数の光源２００を有し、それは、互いに接続されることができる。光透過性カーペットタイル１００は、照明システム２５０をカバーするために使用される。照明システム２５０は、例えば光スポットの形状でありうるが、避難のための正しい方向を指すために矢印の形状であってもよい。この矢印は更に、矢印の方向が、緊急事態のロケーションに依存して変えられることができるように、可変でありうる。例えば、矢印は、火災の危険から離れる方を指すことができる。矢印の代わりに、更に、明滅光が、或る方向を指すように使用されることができる。
【００８０】
カーペットを敷設したフロア３００は更に、コントローラ５０を有することができる。コントローラ５０は、（図２ｃに示されるように）カーペットを敷設したフロア３００の外部に配置されることができるが、カーペットを敷設したフロア３００に組み込まれることもできる。コントローラ５０は、特に照明システム２５０を、とりわけ照明システム２５０の個別の光源２００を、制御するように構成される。このようにして、特定の方向にあるコマーシャル情報を指す矢印のような情報もまた、提供されることができる。カーペット光２７０の色、パターン形状、オン／オフ状態、出力強度及び情報内容の１又は複数が、可変でありえ、コントローラによって制御されることができる。
【００８１】
更に、カーペット光２７０の色、パターン形状及び情報内容の１又は複数が、センサ（例えばタッチ又は接近センサ、火災センサ、煙センサ、熱センサ等）（図示せず）のセンサ信号に依存することができる。センサは、カーペットを敷設したフロア上の又はその近傍の対象を検知するように構成され、又は煙及び熱を含むグループから選択されるフィーチャを検知するように構成される。コントローラ５０は、センサ信号に依存して、カーペット光２７０の色、オン／オフ状態、強度、パターン形状及び情報内容の１又は複数を制御するように構成される。従って、更に別の実施形態において、カーペットを敷設したフロア３００は、例えばタッチ又は接近センサ、煙センサ、熱センサ等のセンサを更に有し、かかるセンサは、カーペットを敷設したフロア３００の外部に配置されることができるが、カーペットを敷設したフロア３００に組み込まれることもできる。センサという語は、複数のセンサをさすこともできる。このような複数のセンサは、例えば、異なるロケーションにおいて（ユーザの接触のような）同じパラメータを検知し又は（ユーザの接触及び煙等のようなそれぞれ）異なるパラメータを検知するように、構成されることができる。
【００８２】
更に別の実施形態において、本発明は、センサ（図示せず）及びコントローラ５０との組み合わせにおいて、カーペットを敷設したフロア３００を提供する。センサは、センサが接近され又は接触されると又はセンサが煙又は熱を検知すると、センサ信号を供給するように構成される。コントローラ５０は、カーペット光２７０の照明パラメータ（例えば色、色分布、光強度、光強度分布、明滅周波数等）、カーペット光２７０のパターン形状、及びカーペット光２７０によって提供される情報内容を含むグループから選択される１又は複数のパラメータを制御するように構成される。パターン又は情報は、概して、複数の光源２００によって提供される。
【００８３】
更に別の実施形態（図示せず）において、カーペットを敷設したフロア３００は、カーペット上面１０１の方向に光源光２０１を反射するように配置されるリフレクタを有する。このようにして、カーペットタイル１００を通って出力結合する光が、増大されることができる。
【００８４】
カーペットを敷設したフロア３００のようなカーペットを敷設した構造３００は、電気ケーブルを介して個々の光源２００に接続されることができる複数のタイル１００を有する。更に、それらは、データケーブル等と接続されることができる。カーペットを敷設したフロア３００（又は他のカーペットを敷設した構造体）は、一実施形態において、複数のタイル１００と複数の光源２００を含む照明システム２５０とを有する（カーペットを敷設した）照明ユニットとして示されている。
【００８５】
図面において、電気ケーブル等の重要さの低い特徴は、明確さのため、描かれていない。
【００８６】
「実質的に平坦な」又は「実質的に含む」のようなここで使用される「実質的に」という語は、当業者によって理解されるであろう。実施形態において、形容詞は、実質的に除去されることができる。適用可能な場合、「実質的に」という語は、「まったく」、「完全に」、「全て」等に関する実施形態を含むこともできる。適用可能な場合、「実質的に」という語は、９０％又はそれ以上に関連し、例えば９５％又はそれ以上、特に９９％又はそれ以上、更に特に９９．５％又はそれ以上、あるいは１００％に関連しうる。「含む、有する（comprise）」という語は、「含む（comprises）」が「からなる（consists of）」を意味する実施形態をも含む。同様に、「約（about）」という語は、適用可能な場合、１０％又はそれ以下、５％又はそれ以下、１％又はそれ以下、０．５％又はそれ以下、０．１％又はそれ以下の偏差を示すことができ、一実施形態においては、（測定可能な）偏差がない。当業者に明らかであるように、数値からの小さい偏差が、適用可能な場合、全体として許容されることができる。それゆえ、上述したaboutの規定における値を除いて、数値は、適用可能な場合、１０％又はそれ以下、５％又はそれ以下、１％又はそれ以下、０．５％又はそれ以下、あるいは０．１％又はそれ以下、偏っていてもよい。これを強調するために、この明細書において、「約（about）」という語が、数値の前におかれて使用されている。
【００８７】
更に、説明及び請求項における第１、第２、第３等の語は、同様の構成要素を区別するために使用されており、必ずしも順次の又は経時的な順序を記述するために使用されていない。そのように使用される語は、適当な状況下で交換可能であり、ここに記述される本発明の実施形態は、ここに記述され又は図示されるものと異なる順序で動作することも可能であることが理解されるべきである。
【００８８】
ここでは装置がとりわけ動作時に関して記述されている。当業者に明らかであるように、本発明は、動作方法又は動作時の装置に制限されない。
【００８９】
上述の実施形態は、本発明を制限するものではなく、説明するものであり、当業者であれば、添付の請求項の範囲を逸脱することなく、多くの代替の実施形態を設計することが可能であることに注意すべきである。請求項において、括弧内に置かれた任意の参照符号は、請求項を制限するものとして解釈されるべきでない。「含む、有する」という動詞及びその活用形の使用は、請求項に示されるもの以外の構成要素又はステップの存在を除外しない。構成要素に先行する冠詞「a」又は「an」は、そのような構成要素の複数の存在を除外しない。本発明は、幾つかの個々の構成要素を含むハードウェアによって、及び適切にプログラムされたコンピュータによって、実現されることが可能である。いくつかの手段を列挙する装置の請求項において、これらの手段の幾つかは、同じ一つのハードウェアのアイテムによって具体化されることができる。特定の手段が相互に異なる従属請求項に列挙されているという単なる事実は、これらの手段の組み合わせが有利に使用されることができないことを示さない。
【図１ａ】
0005662352.tif 000002
【図１ｂ】
0005662352.tif 000003
【図１ｃ】
0005662352.tif 000004
【図２ａ】
0005662352.tif 000005
【図２ｂ】
0005662352.tif 000006
【図２ｃ】
0005662352.tif 000007